【手続補正書】
【提出日】平成17年4月22日(2005.4.22)
【手続補正１】
【補正対象書類名】明細書
【補正対象項目名】特許請求の範囲
【補正方法】変更
【補正の内容】
【特許請求の範囲】
【請求項１】  ディジタル・ディスク装置による再生の期間において変換された複数のセクタに配列されたデータストリームの中の複数のスタートコードの中から１つのスタートコードを捕捉する方法であって、
（ａ）前記データストリームをサーチして前記複数のセクタの中の特定のセクタ・タイプの位置を求めるステップと、
（ｂ）前記特定のセクタ・タイプをサーチして前記複数のスタートコードの中から１つのスタートコードの位置を求めるステップと、
（ｃ）前記スタートコードを不完全であると判定するステップと、
（ｄ）前記データストリームをサーチして前記複数のセクタの中の前記特定のセクタ・タイプの第２のセクタの位置を求めるステップと、
（ｅ）前記特定のセクタ・タイプの中の前記第２のセクタをサーチして前記複数のスタートコードの中から前記スタートコード・タイプの第２のスタートコードの位置を求めるステップと、
（ｆ）前記第２のスタートコードが前記不完全なスタートコードの残りであると判定するステップと、
（ｇ）前記不完全なスタートコード値と前記残りのスタートコード値とを組合せて完全なスタートコードを形成するステップと、
を含む、スタートコードを捕捉する方法。
【請求項２】  ディジタル符号化された信号を媒体から再生する装置であって、
ディジタル符号化された信号を変換して、それからビットストリームを発生するトランスデューサと、
前記ビットストリームを受け取るように結合されていて、前記ビットストリームを制御可能な形式で処理するプロセッサと、
前記プロセッサに結合されていて、処理されたビットストリーム情報を記憶するメモリと、
前記ビットストリーム内の情報の識別を制御するために、前記メモリおよび前記プロセッサを制御するよう結合されたコントローラと、を具え、
前記コントローラは、前記プロセッサを制御して、前記ビットストリーム中の特定のセクタ・タイプを識別し、前記コントローラは、さらに、前記特定のセクタ識別に応答して、前記識別された特定のセクタを記憶させるよう前記メモリを制御する、ディジタル符号化された信号を再生する装置。
【請求項３】  ディジタル符号化された信号を媒体から再生する装置であって、
ディジタル符号化された信号を変換して、それからビットストリームを発生するトランスデューサと、
前記トランスデューサに結合されていて、前記ビットストリームを記憶する第１のメモリと、
前記第１のメモリから制御可能な形式で結合されるデータを記憶する第２のメモリと、
前記ビットストリーム内の情報の識別を制御するために、前記第１および第２のメモリを制御するように結合されたコントローラと、を具え、
前記コントローラは前記第１のメモリを制御して、そのメモリ中の特定のセクタ・アドレスから前記ビットストリームを出力し、前記コントローラは、さらに、前記第２のメモリを制御して、前記特定のセクタ・アドレスからの前記ビットストリーム出力の第１の部分を記憶させる、ディジタル符号化された信号を再生する装置。
【請求項４】  ディジタル符号化された信号を媒体から再生する装置であって、
ディジタル符号化された信号を変換して、それからビットストリームを発生するトランスデューサと、
前記トランスデューサに結合されていて、前記ビットストリームを記憶するメモリと、
前記メモリに結合されていて、そこに含まれるＭＰＥＧスタートコードを識別するために、前記記憶されたビットストリームを処理するプロセッサと、を具え、
前記プロセッサは、前記記憶されたビットストリームをサーチして前記ＭＰＥＧスタートコードを識別し、前記プロセッサは、さらに、前記ＭＰＥＧスタートコードの識別に応答して、前記識別を指示し、前記識別されたＭＰＥＧスタートコードのセクタ・アドレスを記憶させる、ディジタル符号化された信号を再生する装置。
【請求項５】  ディジタル・ディスク装置における再生の期間においてトランスデューサの位置を制御する方法であって、
再生されたアドレスに応答して、トランスデューサの位置を制御するために第１および第２のトランスデューサ・アドレスを受け取るステップと、
前記再生されたアドレスと前記第１のトランスデューサのアドレスとを比較して両者間の等価性を検出するステップと、
前記検出された等価性に応答して、前記トランスデューサを、前記第２のトランスデューサ・アドレスによって決定される新しい位置に移動させるステップと、
を含む、トランスデューサの位置を制御する方法。
【請求項６】  ディジタル符号化された信号を媒体から再生する装置であって、
ディジタル符号化された信号を変換するために、位置的に制御されるトランスデューサと、
前記トランスデューサに結合されていて、前記ディジタル符号化された信号とそれに結合されたアドレスとに応答して、前記トランスデューサの位置を制御するコントローラと、を含み、
前記コントローラは、前記ディジタル符号化された信号と、実質的に等しい前記アドレスとに応答して、前記トランスデューサを、第２のアドレスによって決定された第２の位置に制御する、ディジタル符号化された信号を再生する装置。
【請求項７】  ディジタル符号化された信号を媒体から再生する装置であって、
ディジタル符号化された信号を変換するために、位置的に制御されるトランスデューサと、
前記トランスデューサに結合されていて、前記ディジタル符号化された信号とそれに結合されたアドレスとに応答して、前記トランスデューサの位置を制御する第１のコントローラと、
前記ディジタル符号化された信号と第１のアドレスとを比較し、前記トランスデューサの位置を変化させるように前記コントローラに結合された比較器と、を具え、
前記比較器は、前記ディジタル符号化された信号と、等しい第１のアドレスとに応答して、前記トランスデューサを第２のアドレスによって決定された第２の位置に変化させる、ディジタル符号化された信号を再生する装置。
【請求項８】  光学的読み出しを採用したディスク・プレーヤによってセクタの形式で再生されるデータを制御する方法であって、
処理に必要なセクタと処理に必要でないセクタとを含むセクタのグループを変換するステップと、
前記必要でないセクタを除いて前記必要なセクタを、処理するためにデータ・プロセッサに供給するステップと、
前記必要なセクタを処理して、その中のビデオ情報を表すデータを抽出するステップと、
を含む、データを制御する方法。
【請求項９】  セクタの形式で再生されたＭＰＥＧコンパチブル・データを制御する方法であって、
処理に必要なＭＰＥＧコンパチブル・データを有する要求されたセクタと、処理に必要でないＭＰＥＧコンパチブル・データを有する要求されていないセクタとを含むセクタのグループを変換するステップと、
前記要求されていないセクタを除く前記要求されたセクタを、処理するのためにデータ・プロセッサに転送するステップと、
前記要求されたセクタを処理して、ビデオ情報を表す前記要求されたＭＰＥＧコンパチブル・データを抽出するステップと、
を含む、ＭＰＥＧコンパチブル・データを制御する方法。
【請求項１０】  ＭＰＥＧコンパチブル・データを含むセクタを再生するディジタル・ディスク・プレーヤであって、
処理に必要なＭＰＥＧコンパチブル・データを有する要求されたセクタと、処理に必要でないＭＰＥＧコンパチブル・データを有する要求されていないセクタとを含むディスクのセクタのグループから変換するトランスデューサと、
前記処理に必要でないＭＰＥＧコンパチブル・データを有する前記要求されていないセクタを除くＭＰＥＧコンパチブル・データを有する前記要求されたセクタを処理して結合するように、前記トランスデューサに結合された第１のデータ・プロセッサと、
前記第１のプロセッサに結合されていて、前記要求されたデータ・セクタを受け取って、ビデオ情報を表す前記要求されたＭＰＥＧコンパチブル・データを抽出する第２のプロセッサと、
を具える、セクタを再生するディジタル・ディスク・プレーヤ。
【請求項１１】  ディジタル符号化された信号をディスクから光学的に再生する装置であって、
アドレスとその他のデータとを有するディジタル符号化された信号を変換するために位置的に制御されるトランスデューサと、
前記トランスデューサに結合されていて、前記アドレスと、結合された要求されたアドレスとに応答して、前記トランスデューサの位置を制御するコントローラと、
前記トランスデューサから前記ディジタル符号化された信号を受け取るように結合され、且つ前記符号化された信号の処理を制御するように前記コントローラに制御可能な形式で結合されたプロセッサと、を具え、
前記アドレスと、実質的に等しい前記要求されたアドレスとに応答して、前記コントローラは前記処理を可能にする、ディジタル符号化された信号を光学的に再生する装置。
【請求項１２】  ディジタル符号化された信号をディスクから光学的に再生する装置であって、
アドレスとその他のデータとを有するディジタル符号化された信号を変換する、位置的に制御されるトランスデューサと、
前記トランスデューサに結合されていて、前記アドレスと、結合された要求されたアドレスとに応答して、前記トランスデューサの位置を制御するコントローラと、
前記トランスデューサから前記ディジタル符号化された信号を受け取るように結合され、且つ前記符号化された信号の処理を制御するように前記コントローラに制御可能な形式で結合されたプロセッサと、を具え、
前記コントローラは、要求されたアドレスの受け取りに応答して、前記アドレスおよび前記要求されたアドレスとが実質的に等しくなるまで前記符号化された信号の処理をディセーブルする、ディジタル符号化された信号を光学的に再生する装置。
【請求項１３】  ディジタル符号化された信号をディスク媒体から再生する装置であって、
ディジタル符号化された信号を表すビットストリームの供給源と、
前記ビットストリームが結合されて、前記ビットストリームを処理してその中に存在する少なくとも第１と第２のタイプのデータを抽出するプロセッサと、
前記プロセッサに制御可能な形式で結合されていて、前記第１および第２のタイプのデータの一方を記憶するメモリと、
前記メモリの割り当てを制御するために結合されたコントローラと、を具え、
第１の再生モードでは、前記コントローラは前記メモリを前記第１のタイプのデータを記憶するように割り当て、
第２の再生モードでは、前記コントローラは前記メモリを前記第２のタイプのデータを記憶するように割り当てる、ディジタル符号化された信号を再生する装置。
【請求項１４】  ディジタル符号化された信号をディスク媒体から再生する装置であって、
ディジタル符号化された信号を変換するトランスデューサと、
前記ディジタル符号化された信号を受け取るように結合されていて、それからピクチャを処理して発生させるプロセッサと、
前記プロセッサに結合されていて、前記ピクチャを記憶するメモリと、
前記メモリおよび前記プロセッサを制御するように結合されたコントローラと、を具え、
第１のモードでは、前記ピクチャは前記メモリに記憶され、
第２のモードでは、前記ピクチャはサブサンプルされて前記メモリに記憶される、ディジタル符号化された信号を再生する装置。
【請求項１５】  ディジタル符号化された信号をディスク媒体から再生する装置であって、
ディジタル符号化された信号を表すビットストリームの供給源と、
前記ビットストリームが結合されて、前記ビットストリームを処理してその中に存在する第１と第２のタイプのデータを抽出するプロセッサと、
前記供給源と前記プロセッサとに制御可能な形式で結合されていて、前記ビットストリームおよび前記第１および第２のタイプのデータを記憶するメモリと、
前記メモリの割り当てを制御するように結合されたコントローラと、を具え、
第１の再生モードでは、前記コントローラは前記メモリを前記ビットストリームと前記第１および第２のタイプのデータを記憶するように割り当て、
第２の再生モードでは、前記コントローラは前記メモリを前記ビットストリームおよび前記第１のタイプのデータを記憶するように割り当てる、ディジタル符号化された信号を再生する装置。
【請求項１６】  ディジタル符号化された信号をディスク媒体から再生する装置であって、
ディジタル符号化された信号を変換するトランスデューサと、
前記トランスデューサに結合されていて、前記ディジタル符号化された信号を記憶するメモリと、
前記ディジタル符号化された信号に応答して、それからピクチャを復号する復号器と、
前記復号器用のコントローラと、からなり、
第１の動作モードでは、前記コントローラは第１のシーケンスに応答して、前記メモリから前記記憶されたディジタル符号化された信号を読み出すよう前記復号器を制御し、
第２の動作モードでは、前記コントローラは第２のシーケンスで前記メモリから前記記憶されたディジタル符号化された信号を読み出すよう前記復号器を制御する、ディジタル符号化された信号を再生する装置。
【請求項１７】  ディジタル符号化された信号をディスク媒体から再生する装置であって、
ディジタル符号化された信号を変換するトランスデューサと、
前記トランスデューサに結合されていて、前記ディジタル符号化された信号を記憶するメモリと、
前記ディジタル符号化された信号に応答して、それからピクチャを復号する復号器と、
前記メモリ用のコントローラと、を具え、
第１の動作モードでは、前記コントローラは第１のシーケンスに応答して、前記メモリから前記記憶されたディジタル符号化された信号を読み出すよう前記メモリを制御し、
第２の動作モードでは、前記コントローラは第２のシーケンスで前記メモリから前記記憶されたディジタル符号化された信号を読み出すよう前記メモリを制御する、ディジタル符号化された信号を再生する装置。
【請求項１８】  ディジタル記録されたディスクからピクチャを再生する方法であって、
ディジタル符号化された信号を前記ディスクから変換するステップと、
前記変換された信号を第１の位置に記憶させるステップと、
前記記憶された信号を復号してピクチャを生成するステップと、
前記ピクチャを第２の位置に記憶させるステップと、
表示のために前記第２の位置から前記ピクチャを取り出すステップと、
第１の動作モードでは、前記記憶された信号を復号する前記ステップと、前記ピクチャを前記第２の位置に記憶させる前記ステップとを所定のフィールド期間内に実行し、前記ピクチャを取り出す前記ステップを後続のフィールド期間において実行することによって選択的に動作するステップと、
第２のモードでは、前記記憶された信号を復号する前記ステップと、前記ピクチャを前記第２の位置に記憶させる前記ステップと、前に記憶されたピクチャを前記第２の位置から取り出す前記ステップとを実質的に同時に、且つ前記所定のフィールド期間内に実行することによって選択的に動作するステップと、
を含む、ピクチャを再生する方法。
【請求項１９】  ディジタル記録されたディスクからピクチャを再生する方法であって、
ディジタル符号化された信号を前記ディスクから変換するステップと、
前記変換された信号を第１の位置に記憶させるステップと、
前記記憶された信号を復号してピクチャを生成するステップと、
前記ピクチャのすべてを第２の位置に記憶させるステップと、
表示のために前記第２の位置から前記ピクチャのフィールドを取り出すステップと、
前記ピクチャのすべてを前記第２の位置に記憶させる前記ステップと、前記フィールドを前記第２の位置から取り出す前記ステップとを、所定のフィールド期間内に実質的に同時に実行するステップと、
を含む、ピクチャを再生する方法。
【請求項２０】  ディジタル記録されたディスクからピクチャを再生する装置であって、
前記ディスクからの信号をディジタル符号化するトランスデューサと、
前記変換された信号を記憶するための第１のメモリ位置と、
前記記憶された信号を復号してピクチャを生成する手段と、
前記ピクチャを記憶するための第２のメモリ位置と、
表示のために前記ピクチャを前記第２のメモリ位置から取り出す手段と、
第１および第２の動作モードの一方を実行する手段と、を含み、
前記第１の動作モードでは、所定のフィールド期間内に、前記記憶された信号が復号され、前記ピクチャが前記第２のメモリ位置に記憶され、後続のフィールド期間において前記ピクチャの１つのフィールドが取り出され、
前記第２の動作モードでは、前記所定のフィールド期間内に、前記記憶された信号が復号され、前記ピクチャが前記第２のメモリ位置に記憶され、前記ピクチャの１つのフィールドが取り出される、ピクチャを再生する装置。
【請求項２１】  光ディスク上に記憶されたディジタル・データからトリック再生モードのビデオ画像を再生するプレーヤであって、
処理のために実質的に一定のデータ率を与える速度で前記ディスクを回転させる回転手段と、
前記ディジタル・データを前記ディスクから前記データ率で光学的に読出す手段と、
前記トリック再生モードの期間に前記ディジタル・データを表示のための前記ビデオ画像へと処理する手段と、を含み、
前記回転手段によって与えられる前記データレートは１倍の回転速度で生成されるデータレートよりも大である、ビデオ画像を再生するプレーヤ。
【請求項２２】  前記１倍の回転速度は、実質的に、毎秒１１，０８０，０００ビットの基準速度でユーザ・データビットレートを発生する、請求項２１に記載のビデオ画像を再生するプレーヤ。
【請求項２３】  前記回転手段によって与えられる前記データレートは、通常再生モードおよび前記トリック再生モードに対して実質的に同じデータレートである、請求項２１に記載のビデオ画像を再生するプレーヤ。
【請求項２４】  前記回転手段によって与えられる前記データレートは、通常再生モードと前記トリック再生モードで異なるデータレートである、請求項２１に記載のビデオ画像を再生するプレーヤ。
【請求項２５】  前記回転手段は、前記通常再生モードと前記トリック再生モードとの間で前記光ディスクの回転速度を変化させて異なるデータレートを与える手段を含む、請求項２４に記載のビデオ画像を再生するプレーヤ。
【請求項２６】  前記光ディスクから読み出された前記ディジタル・データはＭＰＥＧ符号化信号を表わす、請求項２１に記載のビデオ画像を再生するプレーヤ。
【請求項２７】  前記光ディスクから読み出された前記ディジタル・データはビデオ・オブジェクト・ユニット（ＶＯＢＵ）を表わす、請求項２１に記載のビデオ画像を再生するプレーヤ。
【請求項２８】  出力表示画像がイントラ符号化（Ｉ）および予測符号化（Ｐ）データから形成されるように、前記トリック再生モードの期間に前記ディジタル・データが復号される、請求項２６に記載のビデオ画像を再生するプレーヤ。
【請求項２９】  前記出力表示画像は、実質的に等しい時間的間隔が保たれたイントラ符号化（Ｉ）および予測符号化（Ｐ）データから形成される、請求項２８に記載のビデオ画像を再生するプレーヤ。
【請求項３０】  前記ディジタル・データは、順方向の通常再生速度モードで処理される画像に対して、逆の順序で表示画像を生成する処理を行なうために選択される、請求項２１に記載のビデオ画像を再生するプレーヤ。
【請求項３１】  前記逆の順序をもった前記表示画像は、通常再生速度で生じ、順方向再生速度モードの期間に表示されるすべての画像を含む、請求項３０に記載のビデオ画像を再生するプレーヤ。
【請求項３２】  光ディスク上に記憶されたディジタル・データからトリック再生モードのビデオ画像の再生を容易に行なう方法であって、
実質的に一定のデータレートを与える回転速度で前記光ディスクを回転させるステップと、
光学的ピックアップを用いて、前記光ディスクから前記データレートで前記ディジタル・データを読み出すステップと、
前記光学的ピックアップによって読み出された前記ディジタル・データをプロセッサに転送するステップと、
選択されたディジタル・データを処理して、前記トリック再生モードの期間に出力ビデオ画像を生成する処理ステップと、を含み、
前記回転させるステップで与えられる前記データレートは１倍の回転速度で生成されるデータレートよりも大である、ビデオ画像の再生を容易に行なう方法。
【請求項３３】  前記１倍の回転速度は、実質的に、毎秒１１，０８０，０００ビットの基準速度でユーザ・データビットレートを発生する、請求項３２に記載のビデオ画像の再生を容易に行なう方法。
【請求項３４】  前記回転させるステップによって与えられる前記データレートは、通常再生モードおよび前記トリック再生モードに対して実質的に同じ前記データレートである、請求項３２に記載のビデオ画像の再生を容易に行なう方法。
【請求項３５】  前記回転させるステップによって与えられる前記データレートは、通常再生モードと前記トリック再生モードで異なるデータレートである、請求項３２に記載のビデオ画像の再生を容易に行なう方法。
【請求項３６】  前記回転させるステップは、前記通常再生モードと前記トリック再生モードとの間で前記光ディスクの回転速度を変化させて前記異なるデータレートを与えるステップを含む、請求項３５に記載のビデオ画像の再生を容易に行なう方法。
【請求項３７】  前記光ディスクから読み出された前記ディジタル・データは、ＭＰＥＧ符号化信号を表わす、請求項３２に記載のビデオ画像の再生を容易に行なう方法。
【請求項３８】  前記光ディスクから読み出された前記ディジタル・データは、ビデオ・オブジェクト・ユニット（ＶＯＢＵ）を表わす、請求項３２に記載のビデオ画像の再生を容易に行なう方法。
【請求項３９】  出力表示画像がイントラ符号化（Ｉ）および予測符号化（Ｐ）データから形成されるように、前記ディジタル・データは前記トリック再生モードの期間に前記処理ステップによって復号される、請求項３７に記載のビデオ画像の再生を容易に行なう方法。
【請求項４０】  前記出力表示画像は、実質的に等しい時間的間隔が保たれたイントラ符号化（Ｉ）および予測符号化（Ｐ）データから形成される、請求項３９に記載のビデオ画像の再生を容易に行なう方法。
【請求項４１】  前記ディジタル・データは、順方向の通常再生速度モードで処理される画像に対して逆の順序で表示画像を生成する処理を行なうために選択される、請求項３２に記載のビデオ画像の再生を容易に行なう方法。
【請求項４２】  前記逆の順序をもった前記表示画像は、通常再生速度で生じ、順方向再生速度モードの期間に表示されるすべての画像を含む、請求項４１に記載のビデオ画像の再生を容易に行なう方法。